(57)【要約】      （修正有）【課題】低コストでありながら耐久性と安全性に優れた木製塀を提供する。【解決手段】左右の支柱２ａ，２ｂを３本の横桟４０，４０，４０で連結しているとともに、上下に並列した横桟４０，４０，４０に複数枚の縦長板材による塀部材３０Ａを架設することで塀面を構成してなる木製塀１Ａであって、少なくとも塀部材３０Ａの外側面には、横断面形状が波形になる凹凸による縦筋模様３００が一面に亘って形成されている。【選択図】図２
0003220867.tif 000002
【実用新案登録請求の範囲】
【請求項１】
左右の支柱を複数本の横桟で連結しているとともに、上下に並列した前記横桟に複数枚の縦長板材による塀部材を架設することで塀面を構成してなる木製塀において、少なくとも前記塀部材の外側面には、横断面形状が波形になる凹凸による縦筋模様が一面に亘って形成されている、ことを特徴とする木製塀。
【請求項２】
前記支柱及び前記壁部材には、インサイジング加工及び防腐剤加圧注入処理が施されている、ことを特徴とする請求項１に記載した木製塀。
【請求項３】
前記支柱は略四角柱状の木材からなり、その表裏両面にも前記縦筋模様が一面に形成されている、ことを特徴とする請求項１又は２に記載した木製塀。
【請求項４】
前記凹凸は、波の山と山のピッチが６ｍｍ〜３０ｍｍ、前記波の山と谷の高低差が前記ピッチの１／６〜２／５とされている、ことを特徴とする請求項１，２又は３に記載した木製塀
【請求項５】
前記支柱には、四角柱の４つの側面の中央部に割溝を上下方向に亘って形成してなる四面背割の角材を用いている、ことを特徴とする請求項１，２，３又は４に記載した木製塀。
【考案の詳細な説明】
【技術分野】
【０００１】
本考案は、木材で製作した塀に関し、殊に、防腐剤を含浸させた木材を用いて防腐性及び耐久性を高めた木製塀に関する。
【背景技術】
【０００２】
近年、ブロック塀が地震で倒壊することによる人身事故が多発しているが、日本において古来より使用されており軽量で倒壊しにくい木製塀（木塀）が見直されている。例えば、学校の老朽化したブロック塀を総て撤去して木製塀に取り替えることが各地の自治体で計画されている。
【０００３】
斯かる木製塀は、その地上部分が総て木材で構成されているため、加工しやすく比較的低コストであることに加え、自然素材を用いていることで美観に優れるという特徴も有している。しかし、木材は屋外で使用すると腐りやすく耐久性に乏しいという欠点があるため、その耐用年数とメンテナンスの手間を考慮した場合、木製塀はかえってコスト高になってしまうという指摘もある。
【０００４】
これに対し、本願発明者・出願人らは、先に特開平１１−３５０８００号公報において、支柱間に架設される横架材（横桟）の表裏両面に防腐剤のインサイジング加工による多数のピット群を全長に亘って一面に刻設したものとすることで、防腐性・耐久性を高めた木柵を提案しており、この技術をそのまま木製塀に適用することも考えられる。
【０００５】
しかし、塀面を構成するパネル状塀部に防腐剤加圧注入処理をした防腐木製塀を提案している特開２０１３−５２５９２号公報において指摘されているように、インサイジング加工による多数のピット群を塀部の一面に亘って設ける場合には、その塀面の外観を損ないやすいという問題がある。
【０００６】
一方、前述した先行技術文献の防腐木製塀は、横向きの状態で縦方向に重ねられてパネル状の塀部を構成する断面正方形状の塀部材（杉間伐材）に、防腐剤の浸透性を向上させながら干割れを誘発させるための割溝を、塀部材の結合面間に少なくとも２箇所以上穿設してなるものであるが、これは現地での施工に手間を要してコスト高になりやすいことに加え、丸太を正方形状に加工したものを縦方向に重ねた構成のために縦方向の連結が弱いことから、その重量も相俟って地震で倒壊しやすいという難点を有している。
【先行技術文献】
【特許文献】
【０００７】
【特許文献１】特開平１１−３５０８００号公報
【特許文献２】特開２０１３−５２５９２号公報
【考案の概要】
【考案が解決しようとする課題】
【０００８】
本考案は、上記のような問題を解決しようとするものであり、木製塀について、低コストでありながら耐久性と安全性に優れたものとすることを課題とする。
【課題を解決するための手段】
【０００９】
そこで、本考案は、左右の支柱を複数本の横桟で連結しているとともに、その上下に並列した横桟に複数枚の縦長板材による塀部材を架設することで塀面を構成してなる木製塀において、少なくともその塀部材の外側面には、横断面形状が波形になる凹凸による縦筋模様が一面に亘って形成されている、ことを特徴とするものとした。
【００１０】
このように、木製塀の塀面を構成する縦長板材による塀部材の外側面に、横断面形状が波形になる縦筋模様を設けたことにより、塀面が雨水等で濡れた場合でも、その縦筋による溝部分に水滴を集めながら下方に流して塀面の乾燥を速めることができるため、防腐性・耐久性に優れるとともに強度低下を招きにくく安全性にも優れたものとなる。
【００１１】
また、この木製塀において、少なくともその支柱及び壁部材にはインサイジング加工及び防腐剤加圧注入処理が施されていることを特徴としたものとすれば、一層防腐性・耐久性に優れたものとなるが、塀面を構成する塀部材表面に縦筋模様を形成したことにより、インサイジング加工で縦方向に切り込んだピット群が縦筋で形成される縦線の存在により目立ちにくくなるため、塀面の美観を損ないにくいものとなる。
【００１２】
さらに、上述した木製塀において、その支柱は略四角柱状の木材からなり、その表裏両面にも横断面形状が波形になる凹凸による縦筋模様が一面に形成されている、ことを特徴としたものとすれば、より長期間に亘って塀の強度を維持することができるため、一層安全性に優れたものとなる。
【００１３】
さらにまた、上述した木製塀において、その横断面形状が波形になる凹凸は、波の山と山のピッチが６ｍｍ〜３０ｍｍ、山と谷の高低差が前記ピッチの１／６〜２／５の範囲とされていることを特徴としたものとすれば、水滴の排除効果を良好に確保しやすいものとなる。
【００１４】
加えて、上述した木製塀において、その支柱には、四角柱の４つの側面の中央部に割溝を上下方向に亘って形成してなる四面背割の角材を用いている、ことを特徴としたものとすれば、支柱としての強度を確保しやすいものとなる。
【考案の効果】
【００１５】
塀面を構成する縦長板材の表面に横断面形状が波形になる縦筋模様を形成してなる本考案によると、低コストでありながら耐久性と安全性に極めて優れたものとなる。
【図面の簡単な説明】
【００１６】
【図１】本考案における実施の形態である木製塀の正面図である。
【図２】図１の木製塀の背面図である。
【図３】図１のＡ−Ａ線に沿う断面図である。
【図４】図１の木製塀の塀部材の表面構造を示す拡大正面部分図である。
【図５】（Ａ）は図３の木製塀を水平方向に延長した場合の断面図、（Ｂ）は塀部材が両面張りである図３の木製塀を片面張りに変更した場合の断面図である。
【図６】（Ａ）は図５の塀部材の断面形状の詳細を説明するために拡大した横断面図、（Ｂ）は（Ａ）の塀部材の変形例の横断面図である。
【図７】図１の木製塀における支柱の応用例を示す拡大した横断面図である。
【考案を実施するための形態】
【００１７】
以下に、図面を参照しながら本考案を実施するための形態を説明する。
【００１８】
図１は、本実施の形態である木製塀１Ａを正面図で示しており、図２はその背面図を示している。この木製塀１Ａは、左右の支柱２ａ，２ｂを３本の横桟４０，４０，４０、底木４、笠木５で連結しているとともに、上下に並列した横桟４０，４０，４０に対し、その表裏両面で互い違いになるように複数枚の縦長板材による塀部材３０Ａを所定間隔でネジ止めしながら架設して、その塀面を構成してなるものである。
【００１９】
斯かる木製塀１Ａは、その支柱２ａ，２ｂの下端側をコンクリート基礎等に埋没させた状態で支持・設置され、支柱２ａ右側の部材と同じものを支柱２ｂに連結することで、水平方向に延長することができる。また、上述したように、塀部材３０Ａを表裏互い違いに設けた構成により、目隠し効果に優れているとともに、隣接した塀部材３０Ａ間の隙間により風通しにも優れているという特徴を有しており、例えば学校のプールを囲む用途などに好適なものである。
【００２０】
また、図１のＡ−Ａ線に沿う断面図である図３に示すように、支柱２ａの右側面には溝２１が、支柱２ｂの左右側面には溝２２，２３が上下方向に亘って形成されており、横桟４０の端部を挿し込んで連結・固定する構成となっている。さらに、この木製塀１Ａは、左右の支柱２ａ，２ｂの表裏両面と横桟４０の表裏に固定した塀部材３０Ａの表面が面一になっており、表面に突出部分がないものとして、その安全性を高めている。
【００２１】
そして、この木製塀１Ａにおいては、図３における円中の拡大部分図に示すように、塀部材３０Ａの外側面及び支柱２ａ，２ｂの表裏両面に、横断面形状が波形になる凹凸による縦筋模様（縦溝によるスリット模様）３００，２００が一面に亘って形成されており、この点が本発明における最大の特徴部分となっている。
【００２２】
このように、木製塀１Ａの塀面を構成する縦長板材による塀部材３０Ａの表面及び支柱２ａ，２ｂの表裏両面に、横断面形状が波形になる縦筋模様３００，２００が形成されていることで、塀面に雨水で濡れたり水滴が付いたりしても、その縦筋による溝部分に水滴を集めながら下方に流す作用を有していることから、塀面が短時間で乾きやすくなるため、極めて防腐性・耐久性に優れたものとなり、これにより強度低下を招きにくくなることで安全性にも優れたものである。
【００２３】
即ち、塀部材３０Ａと支柱２ａ，２ｂの表面横断面形状を波形にする縦筋模様３００，２００を採用したのは、単に垂直な平坦面や平坦面に縦向きのＶ字溝や角溝を設けた場合と比較した場合に、溝の谷と山とが総て滑らかな曲線で連続的に構成されている波形形状により水滴が谷側に集まりやすくなり、より短時間で水滴を下方に排出できることが判明したからである。
【００２４】
尚、横断面形状が波形になる凹凸形状の態様としては、水滴の排出機能確保の観点から、波形の山と山のピッチを６ｍｍ〜３０ｍｍの範囲にすることが好ましく、１０ｍｍ〜２０ｍｍの範囲にすることがより好ましい。また、その場合、山と谷の高低差は前記ピッチの１／６〜２／５の範囲にすることが好ましく、１／５〜１／３の範囲にすることがより好ましい。
【００２５】
さらに、本実施の形態においては、その塀部材３０Ａ及び支柱２ａ，２ｂには、予めインサイジング加工及びその加工後の防腐・防蟻剤加圧注入処理が施されている点も特徴となっており、図４の拡大部分図に示すように、インサイジング加工により縦方向に切り込まれた多数のピット３４０が見られる。このように、木材にインサイジング加工を施してから防腐・防蟻剤を加圧注入した後、図のような縦筋模様３００，２００を設けたことにより、一層防腐性・耐久性に優れたものとなっている。
【００２６】
加えて、塀部材３０Ａ及び支柱２ａ，２ｂの表面に、排水性と意匠性を高めるために形成した縦筋模様３００，２００が存在していることにより、図４に示したように、インサイジング加工で縦方向に切り込んだピット群が目立ちにくいものとなるため、木材の質感を生かした塀面の美観を損ないにくくしている。尚、防腐・防蟻材の加圧注入による保存処理については、「製材の日本農林規格」の保存処理性能区分Ｋ４又はＡＱ１種を採用することが、長期間に亘って確実な防腐性・耐久性を確保する観点で好ましい。
【００２７】
図５（Ａ）は、上述した木製塀１Ａを水平方向に延長する場合を説明するための横断面図である。この場合、図３に示した木製塀１Ａの右側の支柱２ｂの右側面に形成した溝２３に、３本の横桟４０を挿し込んで連結・固定するとともに、底木４、笠木５を挿し込んで各々固定して、その右端側に支柱２ａ又は２ｂを固定するとともに横桟４０の表裏に所定間隔で塀部材３０Ａを固定することにより、木製塀１Ａを延長することができる。
【００２８】
一方、図（Ｂ）は、塀部材３０Ａが両面張りとされた図３の木製塀１Ａを、塀部材３０Ａを片面張りに変更した場合の木製塀１Ｂを示している。この木製塀１Ｂは、上述した木製塀１Ａと比べて塀部材３０Ａが約半分で済むことから、軽量且つ低コストであるとともに、隣接する塀部材３０Ａ間に形成された隙間により見通し及び風通しに優れたものとなる。
【００２９】
図６（Ａ）は、上述した木製塀１Ａ，１Ｂに用いた塀部材３０Ａにおける縦筋模様３００による波形の表面形状を詳細に示すために拡大した横断面図であるが、塀部材３０Ａの横幅が１２０ｍｍとすると、山と山のピッチは約２５ｍｍであり、山と谷の高低差はそのピッチの約１／４となっている。
【００３０】
これに対し、図６（Ｂ）の塀部材３０Ｂは、高低差とピッチの比は塀部材３０Ａとほぼ同様であるが、山と山のピッチは約７ｍｍと小さくなっており、これにより塀部材３０Ａよりも優れた水滴の排出効果が期待できるとともに、間隔が詰まった縦筋模様により、正面視でインサイジング加工によるピット群が一層目立ちにくいものとなる。
【００３１】
図７は、図１の木製塀１Ａにおける支柱２ａ，２ｂの応用例としての支柱２ｃ，２ｄを、拡大した横断面図で示している。この例では、正四角柱の４つの側面の中央部に幅３ｍｍ、深さ１０ｍｍ程度の割溝２１０を上下方向に亘って形成してなる四面背割の角材を用いている点を特徴としている。
【００３２】
そして、その四面背割の角材に前述と同様のインサイジング加工及びその加工後の防腐・防蟻剤加圧注入処理を施してから、連結用の溝２１，２２，２３を設けたものであるが、四面背割の木材を用いたことで力が平均にかかりやすくなるため、支柱としての強度が２割程度増したものとなっている。
【００３３】
以上、述べたように、本考案により、木製塀について、低コストでありながら耐久性と安全性に優れたものとなった。
【符号の説明】
【００３４】
１Ａ，１Ｂ  木製塀、２ａ，２ｂ，２ｃ，２ｄ  支柱、３０Ａ，３０Ｂ  塀部材、４０  横桟、２００，３００  縦筋模様、２１０  割溝、３４０  ピット
【図１】
0003220867.tif 000003
【図２】
0003220867.tif 000004
【図３】
0003220867.tif 000005
【図４】
0003220867.tif 000006
【図５】
0003220867.tif 000007
【図６】
0003220867.tif 000008
【図７】
0003220867.tif 000009
【手続補正書】
【提出日】平成31年2月6日(2019.2.6)
【手続補正１】
【補正対象書類名】実用新案登録請求の範囲
【補正対象項目名】請求項２
【補正方法】変更
【補正の内容】
【請求項２】
前記支柱及び前記塀部材には、インサイジング加工及び防腐剤加圧注入処理が施されている、ことを特徴とする請求項１に記載した木製塀。